(57)【要約】【課題】グローブの耐久性の向上を図りつつ、分解することが困難であり、模倣を防止できるグローブを提供する。【解決手段】グローブ１は、型に沿って切り取った複数の皮革を糸１１で縫合して手袋状に構成した内袋４と、型に沿って切り取った複数の皮革を糸１１で縫合して作製した、手のひら側を構成する手掌側部材６と、手の甲側を構成する手甲側部材７と、を連結して手袋状に構成した外袋５と、を備え、外袋５の内部に内袋４を挿設して構成するものであって、糸１１が、アラミド繊維からなる。【選択図】図４
2015083075.tif 000002
【特許請求の範囲】
【請求項１】
型に沿って切り取った複数の皮革を糸で縫合して手袋状に構成した内袋と、
型に沿って切り取った複数の皮革を糸で縫合して作製した、手のひら側を構成する手掌側部材と、手の甲側を構成する手甲側部材と、を連結して手袋状に構成した外袋と、
を備え、
前記外袋の内部に前記内袋を挿設して構成するグローブであって、
前記内袋の縫合に使用する前記糸が、
アラミド繊維からなる、
ことを特徴とするグローブ。
【請求項２】
型に沿って切り取った複数の皮革を糸で縫合して手袋状に構成した内袋と、
型に沿って切り取った複数の皮革を糸で縫合して作製した、手のひら側を構成する手掌側部材と、手の甲側を構成する手甲側部材と、を連結して手袋状に構成した外袋と、
を備え、
前記外袋の内部に前記内袋を挿設して構成するグローブであって、
前記外袋の縫合に使用する前記糸が、
アラミド繊維からなる、
ことを特徴とするグローブ。
【請求項３】
型に沿って切り取った複数の皮革を糸で縫合して手袋状に構成した内袋と、
型に沿って切り取った複数の皮革を前記糸で縫合して作製した、手のひら側を構成する手掌側部材と、手の甲側を構成する手甲側部材と、を連結して手袋状に構成した外袋と、
を備え、
前記外袋の内部に前記内袋を挿設して構成するグローブであって、
前記糸が、
アラミド繊維からなる、
ことを特徴とするグローブ。
【請求項４】
前記アラミド繊維からなる前記糸は、
フィラメント糸である、
ことを特徴とする請求項１から請求項３の何れか一項に記載のグローブ。
【発明の詳細な説明】
【技術分野】
【０００１】
本発明は、野球およびソフトボールを行う際に用いる捕球用のグローブの技術に関する。
【背景技術】
【０００２】
従来、野球やソフトボールの競技者が利き手と反対側の手に装着して使用するグローブとしては、手袋状のグローブ本体と、捕球用ウェブと、を革紐で連結して構成されるものが広く用いられており、例えば、以下に示す特許文献１に、当該グローブが開示されている。
そして、特許文献１に示されるような従来のグローブは、前記グローブ本体が、手袋状の内袋と、手袋状の外袋によって構成されるのが一般的である。
【０００３】
前記内袋は、型に合わせて切り取られた所定の形状を有する複数の皮革を、糸で縫い合わせて手袋状に構成したものであり、さらに、その手袋状の内袋に対しては、補強や衝撃吸収等のための芯材等が糸で縫い合わされることが一般的である。
【０００４】
また前記外袋は、手のひら側を覆い捕球面を形成する部材である手掌側部材と、手の甲側を覆う部材である手甲側部材で構成され、各部材は、型に合わせて切り取られた所定の形状を有する複数の皮革を、ハミダシと呼ばれる革部材等を介しつつ、糸で縫い合わせて構成されるのが一般的である。
【先行技術文献】
【特許文献】
【０００５】
【特許文献１】特開２００９−２９１２３９号公報
【発明の概要】
【発明が解決しようとする課題】
【０００６】
従来、グローブを構成する各部材を縫合するのに使用している糸は、捕球回数が多くなると損傷・劣化等し切れることがある。このため、糸切れに起因する破損が生じにくく、より高い耐久性を有するグローブに対するニーズが存在している。
グローブの耐久性を高める方法としては、損傷しやすい部位に当て革を設ける等の対策が従来とられてきたが、この場合、グローブの重量が重くなり、また可撓性も悪くなることによって、操作性を阻害するという問題があった。
【０００７】
また、グローブを構成する複数の皮革は、型に合わせて切り取られるものであるが、その型の違いによって、最終的に製造されるグローブの形状が決まってくるものであり、その形状が操作感や使い心地を左右するものであるから、その型には、グローブの製造者が長年蓄積してきたノウハウが集約されている。
【０００８】
しかしながら近年、完成したグローブを複数の皮革に分解することで、皮革の形状から型形状をリバースエンジニアリングの手法によって推定し、グローブの模倣品が製造される事案が確認されるようになってきている。
【０００９】
本発明は、斯かる現状の課題を鑑みてなされたものであり、グローブの耐久性の向上を図りつつ、分解することが困難であり、模倣を防止できるグローブを提供することを目的としている。
【課題を解決するための手段】
【００１０】
本発明の解決しようとする課題は以上の如くであり、次にこの課題を解決するための手段を説明する。
【００１１】
即ち、請求項１においては、型に沿って切り取った複数の皮革を糸で縫合して手袋状に構成した内袋と、型に沿って切り取った複数の皮革を糸で縫合して作製した、手のひら側を構成する手掌側部材と、手の甲側を構成する手甲側部材と、を連結して手袋状に構成した外袋と、を備え、前記外袋の内部に前記内袋を挿設して構成するグローブであって、前記内袋の縫合に使用する前記糸が、アラミド繊維からなるものである。
【００１２】
請求項２においては、型に沿って切り取った複数の皮革を糸で縫合して手袋状に構成した内袋と、型に沿って切り取った複数の皮革を糸で縫合して作製した、手のひら側を構成する手掌側部材と、手の甲側を構成する手甲側部材と、を連結して手袋状に構成した外袋と、を備え、前記外袋の内部に前記内袋を挿設して構成するグローブであって、前記外袋の縫合に使用する前記糸が、アラミド繊維からなるものである。
【００１３】
請求項３においては、型に沿って切り取った複数の皮革を糸で縫合して手袋状に構成した内袋と、型に沿って切り取った複数の皮革を前記糸で縫合して作製した、手のひら側を構成する手掌側部材と、手の甲側を構成する手甲側部材と、を連結して手袋状に構成した外袋と、を備え、前記外袋の内部に前記内袋を挿設して構成するグローブであって、前記糸が、アラミド繊維からなるものである。
【００１４】
請求項４においては、前記アラミド繊維からなる前記糸は、フィラメント糸であるものである。
【発明の効果】
【００１５】
本発明の効果として、以下に示すような効果を奏する。
【００１６】
請求項１〜４においては、糸切れに起因するグローブの破損を生じにくくするとともに、グローブが分解されるのを防止することができる。
またこれにより、グローブの耐久性の向上を図りつつ、グローブの型形状が模倣され、グローブの模倣品が製造されるのを防止することができる。
【図面の簡単な説明】
【００１７】
【図１】本発明の一実施形態に係るグローブを示す正面図。
【図２】本発明の一実施形態に係るグローブを示す背面図。
【図３】本発明の一実施形態に係るグローブを示す図１におけるＸ方向視図。
【図４】グローブを構成する内袋を示す図、（ａ）全体図、（ｂ）糸による縫合状態を示す模式図。
【図５】グローブの外袋を構成する手掌側部材を示す図、（ａ）全体図、（ｂ）糸による縫合状態を示す模式図。
【図６】グローブの外袋を構成する手甲側部材を示す図、（ａ）全体図、（ｂ）糸による縫合状態を示す模式図。
【発明を実施するための形態】
【００１８】
次に、発明の実施の形態を説明する。
まず始めに、本発明の一実施形態に係るグローブの全体構成について説明をする。
図１および図２は、本発明の一実施形態に係るグローブ１の全体構成を示している。
グローブ１は、右利きの競技者が左手に装着して使用する（右利き用の）グローブであり、グローブ本体２とウェブ部材３と、を備え、手袋状のグローブ本体２における親指に対応する部位と人差し指に対応する部位の間に、革紐８を用いて、ウェブ部材３を張設する構成としている。
【００１９】
図１〜図３に示すように、グローブ１のグローブ本体２は、内袋４と外袋５によって構成され、さらに外袋５は、手掌側部材６と手甲側部材７によって構成される。
そして、図２および図３に示すように、内袋４を外袋５の内部に挿入した状態で、革紐８・８・・・で内袋４と外袋５を連結し、手袋状のまま内袋４と外袋５を一体化させることによって、グローブ本体２を構成する。
【００２０】
また、グローブ本体２における革と革のつなぎ目部分には、適宜ハミダシ９・９・・・を配置しており、ハミダシ９・９・・・によって、グローブ１を立体的な形状に形成することを可能にするとともに、ハミダシ９がグローブ１における意匠上のアクセントにもなっている。
【００２１】
次に、内袋４の構造について、さらに詳細に説明をする。
図４（ａ）に示すように、グローブ本体２を構成する内袋４は、左手の各指に対応した５つの袋状部である親指部４１、人差し指部４２、中指部４３、薬指部４４、小指部４５を備えている。
【００２２】
親指部４１は、略手のひら状の形状を有する基材４６の親指に対応する部位に対して親指部材４１ａを縫合することによって形成される。
親指部材４１ａは、親指形状に対応する内袋４用の型を用いて切り出した所定形状を有する皮革であり、また基材４６は、手のひら形状に対応する内袋４用の型を用いて切り出した所定形状を有する皮革である。
【００２３】
親指部材４１ａと基材４６は、図４（ｂ）に示すように、親指を挿入可能な空間を形成するように重ねながら、その周囲（点線の位置）を、糸１１で縫合される。
尚、グローブ１の製造における糸による縫合は、皮革用ミシンを用いて行う（以下同じ）。
【００２４】
人差し指部４２は、基材４６の人差し指に対応する部位に対して人差し指部材４２ａを縫合することによって形成される。
人差し指部材４２ａは、人差し指形状に対応する内袋４用の型を用いて切り出した所定形状を有する皮革である。
人差し指部材４２ａと基材４６は、図４（ｃ）に示すように、人差し指を挿入可能な空間を形成しながら重ね合わされ、その周囲（点線の位置）を、糸１１で縫合される。
【００２５】
また、人差し指部４２の捕球面側には、補強や衝撃吸収のための部材である芯材１０が付設されている。
そして、人差し指部材４２ａと基材４６を縫合した部材に対して、さらに図４（ｃ）に示すように、芯材１０が重ね合わされ、さらにその周囲（点線の位置）を、糸１１で縫合される。
【００２６】
中指部４３は、基材４６の中指に対応する部位に対して中指部材４３ａを縫合することによって形成される。
中指部材４３ａは、中指形状に対応する内袋４用の型を用いて切り出した所定形状を有する皮革である。
また、中指部４３の捕球面側には、人差し指部４２と同様に芯材１０が付設されている（図４（ｃ）参照）。
【００２７】
薬指部４４は、基材４６の薬指に対応する部位に対して薬指部材４４ａを縫合することによって形成される。
薬指部材４４ａは、薬指形状に対応する内袋４用の型を用いて切り出した所定形状を有する皮革である。
また、薬指部４４の捕球面側には、人差し指部４２と同様に芯材１０が付設されている（図４（ｃ）参照）。
【００２８】
小指部４５は、基材４６の小指に対応する部位に対して小指部材４５ａを縫合することによって形成される（図４（ｂ）参照）。
小指部材４５ａは、小指形状に対応する内袋４用の型を用いて切り出した所定形状を有する皮革である。
【００２９】
そして、内袋４では、各部材４１ａ・４２ａ・４３ａ・４４ａ・４５ａと基材４６および芯材１０の縫合に用いる糸１１が、アラミド繊維からなる糸であり、図４（ａ）中において点線で示している縫合位置において、アラミド繊維製の糸１１により、前記各部を縫合する構成としている。
【００３０】
アラミドとは、芳香族骨格のみで構成されるポリアミドのことであり、アラミド繊維は、高強度および高耐熱性を有している。
内袋４の製造において使用しているアラミド繊維製の糸１１は、番手が＃７のフィラメント糸であり、２００（Ｎ）以上の引張強度を有している。
【００３１】
このようなアラミド繊維製の糸１１は、従来のグローブ縫合用の糸に比して圧倒的に高い強度を有しているため、繰り返し捕球を行ったとしても、糸１１の損傷および劣化に起因して内袋４が破損するような事態が、従来に比して生じにくくなっている。
【００３２】
また、アラミド繊維製の糸１１は、従来のグローブに用いられる糸を切断するためのハサミでは切断することがほぼ不可能であるため、アラミド繊維製の糸１１で縫合し製造された内袋４を、各部材４１ａ・４２ａ・４３ａ・４４ａ・４５ａ・４６に分解することは、ほぼ不可能である。
【００３３】
次に、外袋５の構造について、さらに詳細に説明をする。
前述したように、外袋５は、手掌側部材６と手甲側部材７によって構成される。
図５（ａ）に示すように、グローブ本体２における外袋５を構成する手掌側部材６は、左手の各指に対応した５つの袋状部である親指部６１、人差し指部６２、中指部６３、薬指部６４、小指部６５を備えている。
尚、図５（ａ）は、手掌側部材６の構成の理解を容易にするため、通常の使用状態の形態ではなく、該手掌側部材６を裏返しにし、縫い目を表した形態を示している図である。
即ち、図５（ａ）において表面に現れている面は、通常の使用状態では袋の内側となる部位である。
【００３４】
親指部６１は、略手のひら状の形状を有する基材６６の親指に対応する部位に対して一対の親指部材６１ａ・６１ｂを縫合するとともに、一対の親指部材６１ａ・６１ｂを、ハミダシ９を介して縫合することによって形成される。
一対の親指部材６１ａ・６１ｂは、親指形状に対応する手掌側部材６用の型を用いて切り出した所定形状を有する皮革である。
親指部材６１ａ・６１ｂと基材６６は、図５（ｂ）に示すように、親指を挿入可能な空間を形成しながら重ね合わされた状態で、その周囲（点線の位置）を糸１１で縫合される。
また、親指部材６１ａと親指部材６１ｂは、図５（ｂ）に示すように、ハミダシ９を挟んだ状態で、点線の位置において糸１１で縫合される。
【００３５】
人差し指部６２は、基材６６の人差し指に対応する部位に対して一対の人差し指部材６２ａ・６２ｂを縫合するとともに、一対の人差し指部材６２ａ・６２ｂを、ハミダシ９を介して縫合することによって形成される（図５（ｂ）参照）。
一対の人差し指部材６２ａ・６２ｂは、人差し指形状に対応する手掌側部材６用の型を用いて切り出した所定形状を有する皮革である。
【００３６】
中指部６３は、基材６６の中指に対応する部位に対して一対の中指部材６３ａ・６３ｂを縫合するとともに、一対の中指部材６３ａ・６３ｂを、ハミダシ９を介して縫合することによって形成される（図５（ｂ）参照）。
一対の中指部材６３ａ・６３ｂは、中指形状に対応する手掌側部材６用の型を用いて切り出した所定形状を有する皮革である。
【００３７】
薬指部６４は、基材６６の薬指に対応する部位に対して一対の薬指部材６４ａ・６４ｂを縫合するとともに、一対の薬指部材６４ａ・６４ｂを、ハミダシ９を介して縫合することによって形成される（図５（ｂ）参照）。
一対の薬指部材６４ａ・６４ｂは、薬指形状に対応する手掌側部材６用の型を用いて切り出した所定形状を有する皮革である。
【００３８】
小指部６５は、基材６６の小指に対応する部位に対して一対の小指部材６５ａ・６５ｂを縫合するとともに、一対の小指部材６５ａ・６５ｂを、ハミダシ９を介して縫合することによって形成される（図５（ｂ）参照）。
一対の小指部材６５ａ・６５ｂは、小指形状に対応する手掌側部材６用の型を用いて切り出した所定形状を有する皮革である。
【００３９】
そして、手掌側部材６では、各部材６１ａ・６１ｂ・６２ａ・６２ｂ・６３ａ・６３ｂ・６４ａ・６４ｂ・６５ａ・６５ｂと基材６６およびハミダシ９・９・・・の縫合の用いる糸は、アラミド繊維からなる糸１１である。
即ち、手掌側部材６は、図５（ａ）中において点線で示す縫合位置において、アラミド繊維製の糸１１により、前記各部材を縫合することにより構成される。
尚、図５（ａ）では、図５（ａ）上で視認できる縫合部位のみを図示しているが、手掌側部材６では、その他の図５（ａ）上で視認できない縫合部位についても、アラミド繊維製の糸１１で縫合している。
【００４０】
手掌側部材６の製造においては、内袋４の製造に使用するのと同じ糸１１（＃７のフィラメント糸）を使用しているため、糸１１の損傷および劣化に起因して手掌側部材６が破損するような事態が、従来に比して生じにくく、また、糸１１で縫合し製造された手掌側部材６を、各部材６１ａ・６１ｂ・６２ａ・６２ｂ・６３ａ・６３ｂ・６４ａ・６４ｂ・６５ａ・６５ｂ・６６とハミダシ９・９・・・に分解することは、ほぼ不可能である。
【００４１】
図６（ａ）に示すように、グローブ本体２における外袋５を構成する手甲側部材７は、左手の各指（親指以外）に対応した４つの部位である人差し指部７２、中指部７３、薬指部７４、小指部７５を備えている。
尚、親指の手の甲側を覆う部材は、前述した手掌側部材６において一体的に形成されている。
また、図６（ａ）は、手甲側部材７の構成の理解を容易にするため、通常の使用状態における表側ではなく、該手甲側部材７の裏面を表したものであり、通常の使用状態では内側に隠蔽されてしまう縫い目が現れるようにしている。
【００４２】
人差し指部７２は、一対の人差し指部材７２ａ・７２ｂを、ハミダシ９を介して縫合することによって形成される。
一対の人差し指部材７２ａ・７２ｂは、人差し指形状に対応する手甲側部材７用の型を用いて切り出した所定形状を有する皮革である。
【００４３】
また、中指部７３は、一対の中指部材７３ａ・７３ｂを、ハミダシ９を介して縫合することによって形成される。
一対の中指部材７３ａ・７３ｂは、中指形状に対応する手甲側部材７用の型を用いて切り出した所定形状を有する皮革である。
中指部材７３ａ・７３ｂとハミダシ９は、図６（ｂ）に示すように、ハミダシ９を挟んだ状態で、点線の位置において、糸１１で縫合される。
【００４４】
薬指部７４は、一対の薬指部材７４ａ・７４ｂを、ハミダシ９を介して縫合することによって形成される。
一対の薬指部材７４ａ・７４ｂは、薬指形状に対応する手甲側部材７用の型を用いて切り出した所定形状を有する皮革である。
【００４５】
小指部７５は、一対の小指部材７５ａ・７５ｂを、ハミダシ９を介して縫合することによって形成される。
一対の小指部材７５ａ・７５ｂは、小指形状に対応する手甲側部材７用の型を用いて切り出した所定形状を有する皮革である。
【００４６】
そして、手甲側部材７では、各部材７２ａ・７２ｂ・７３ａ・７３ｂ・７４ａ・７４ｂ・７５ａ・７５ｂとハミダシ９・９・・・の縫合に用いる糸１１が、アラミド繊維からなる糸である。
即ち、手甲側部材７は、図６（ａ）中において点線で示す縫合位置で、前記各部材をアラミド繊維製の糸１１で縫合することにより構成される。
尚、図６（ａ）では、図６（ａ）上で視認できる縫合部位のみを図示しているが、手甲側部材７では、その他の図６（ａ）上で視認できない縫合部位についても、アラミド繊維製の糸１１で縫合している。
【００４７】
手甲側部材７の製造においては、内袋４や手掌側部材６の製造に使用するのと同じ糸１１（＃７のフィラメント糸）を使用しているため、糸１１の損傷および劣化に起因して手甲側部材７が破損するような事態が、従来に比して生じにくく、また、糸１１で縫合し製造された手甲側部材７を、各部材７２ａ・７２ｂ・７３ａ・７３ｂ・７４ａ・７４ｂ・７５ａ・７５ｂとハミダシ９・９・・・に分解することは、ほぼ不可能である。
【００４８】
そして外袋５は、このようにして作製される手掌側部材６と手甲側部材７を、縫合したり、あるいは、革紐８を用いて連結したりして、内袋４を挿入可能な手袋状の形態として構成される。
尚、このときの手掌側部材６と手甲側部材７の縫合についても、アラミド繊維製の糸１１を用いて行い、手掌側部材６と手甲側部材７の縫合部位には適宜ハミダシ９を挟み込む構成としている。
【００４９】
本発明の一実施形態に係るグローブ１は、上記のようにして作製される外袋５の内部に内袋４を挿設することによって構成される。
内袋４と外袋５は、適宜革紐８を用いて連結して、あるいは、部分的にはアラミド繊維製の糸１１を用いて縫合して、手袋状に一体化される。
【００５０】
即ち、本発明の一実施形態に係るグローブ１は、型に沿って切り取った複数の皮革を糸１１で縫合して手袋状に構成した内袋４と、型に沿って切り取った複数の皮革を糸１１で縫合して作製した、手のひら側を構成する手掌側部材６と、手の甲側を構成する手甲側部材７と、を連結して手袋状に構成した外袋５と、を備え、外袋５の内部に内袋４を挿設して構成するものであって、糸１１が、アラミド繊維からなるものである。
そして、グローブ１では、内袋４と外袋５の両方の縫合を、アラミド繊維製の糸１１で行っているが、内袋４か外袋５のいずれか一方が、アラミド繊維製の糸１１で縫合される構成も採用できる。
さらに、本発明の一実施形態に係るグローブ１は、アラミド繊維からなる糸１１として、フィラメント糸を用いている。
【００５１】
このような構成により、糸切れに起因するグローブ１の破損を生じにくくするとともに、グローブ１が分解されるのを防止することができる。
そして、グローブ１の耐久性の向上を図りつつ、グローブ１を構成する各部材を切り出すのに使用する型形状が模倣され、グローブ１の模倣品が製造されるのを防止することができる。
【００５２】
尚、本実施形態では、内野手用（あるいはオールラウンド用）のグローブ１を例示して説明を行っているが、本発明に係るグローブの用途をこれに限定するものではなく、投手用、捕手用、一塁手用、外野手用等のその他の各用途に用いるグローブについても、アラミド繊維からなる糸で縫合する構成とすることができる。
また、本実施形態で示すグローブ１は、グローブ１内部の縫合にアラミド繊維製の糸１１を用いているが、グローブ１の外観に現れる化粧糸等で縫う部分や、本実施形態で例示しなかった各部の縫合についても、アラミド繊維製の糸を用いることができるのは言うまでもない。
さらに、本実施形態で示すグローブ１は、各部の縫合を全て同じアラミド繊維製の糸１１により行っているが、縫合部位の特性に応じて、アラミド繊維製の糸の番手を変えてもよい。
【符号の説明】
【００５３】
１    グローブ
２    グローブ本体
４    内袋
５    外袋
６    手掌側部材
７    手甲側部材
１０  芯材
【図１】
2015083075.tif 000003
【図２】
2015083075.tif 000004
【図３】
2015083075.tif 000005
【図４】
2015083075.tif 000006
【図５】
2015083075.tif 000007
【図６】
2015083075.tif 000008